(57)【特許請求の範囲】
【請求項１】
多段に盛られる盛土層間に水平方向に延びる網目状の補強材を埋設して盛土の安定化を図る盛土補強土工法に用いられ、各盛土層の端面に多数設けられて盛土の法面を覆うとともに前記補強材の端部を係止する法枠ブロックであって、
矩形状の底面壁と、
該底面壁の前端部に一体に立設された前面壁と、
該底面壁の上面から該前面壁と同一高さまで立ち上げられて一体形成され、前端部が前記前面壁に連なって後方に延びる控え壁とを備え、
前記控え壁の上面には上層に設置される法枠ブロックに係合させるアンカーピンが設けられる一方、
前記底面壁の下面には前記アンカーピンよりも前方に位置して、その下層に設置される法枠ブロックの前記アンカーピンを係合させる係合穴が設けられ、
かつ前記前面壁は、前記底面壁に対して垂直あるいは前方に傾斜して一体形成され、
前記底面壁の一方の側端部には、側方に突出する連結用底面壁部が一体形成され、他方の側端部には、その側方に隣接配置される法枠ブロックから突出する前記連結用底面壁部を挿入係合させる係合凹部が形成され、
前記控え壁は、前記係合凹部が形成される側の底面壁の側端部に該係合凹部を跨いで設けられ、前記連結用底面壁部の先端上面にはその側方に隣接配置される法枠ブロックの前記控え壁の内側面に係合する突出片が一体形成されていることを特徴とする法枠ブロック。
【請求項２】
前記底面壁には、該底面壁を上下方向に貫通する空孔が設けられていることを特徴とする請求項１に記載の法枠ブロック。
【発明の詳細な説明】
【０００１】
【発明の属する技術分野】
本発明は、多段に盛られる盛土層間に水平方向に延びる網目状の補強材を埋設して盛土の安定化を図る盛土補強土工法に用いられ、各盛土層の端面に多数配設されて盛土の法面を覆うとともに前記補強材の端部を係止する法枠ブロックに関する。
【０００２】
【従来の技術】
盛土補強土工法は、以下のようにして盛土を造成する工法である。
基礎地盤上に、複数の法枠ブロックをその側方に隣接配置して、この後方に土砂を盛り立て敷き均し、タイヤローラなどで転圧を行い、第１層目の盛土層を造成する。次に、その盛土層の上面に網目状の補強材としてジオテキスタイルを敷設した後、前記法枠ブロック上に第２層目用の法枠ブロックを載置して、前記ジオテキスタイルの端部を挟み込み固定する。そして、載置した法枠ブロックの後方に土砂を盛り立て敷き均し転圧を行い、第２層目の盛土層を造成する。これら作業を繰り返して盛土を造成する。
【０００３】
かような盛土補強工法は、ジオテキスタイルに張力を付与して盛土を補強する効果があるとともに、このジオテキスタイルと法枠ブロックとを連結して法面を拘束する効果も奏する。
【０００４】
この法枠ブロックは、上記のように載置する際に自立する必要があり、自立する法枠ブロックが発明され開示されている（特開平１１−１５８８７３号公報参照）。図６に示すように、この法枠ブロック１０１はプレキャストコンクリート製のブロック部材である。そして、この法枠ブロック１０１は、一対の開口１０３を有する矩形状の法枠本体１０５と、この法枠本体１０５を法面の勾配に合わせて立設させた状態で当該法枠ブロック１０１を自立させるべく、当該法枠本体１０５の両側部から一体となって垂直後方に突出するバットレス部１０７とからなり、かつ法枠本体１０５及びバットレス部１０７の上端面１０９及び下端面１１１が当該法枠ブロック１０１を自立させた際に水平になるように形成されている。
【０００５】
【発明が解決しようとする課題】
しかしながら、この法枠ブロック１０１は、支持面となる下端面１１１がコ字状をなして面積が小さく、しかも重心が高いため自立安定性に劣り、載置する際に転倒しやすい。また、前記法枠本体１０５は法面の勾配に合わせて後方に傾斜しているから、その直近後方に敷き詰められた傾斜部分の土砂には、タイヤローラーによって上方から転圧をかけ難く、締め固められない領域が生じて、施工後に地盤が緩む虞がある。更には、軽量化のために空けられた前記一対の開口１０３には、土砂のこぼれだしを防ぐためのメッシュ１１３が設けられるため、景観向上のための植生をするのが困難である。
【０００６】
本発明はかかる従来の課題に鑑みて成されたもので、重心を低くして自立安定性に富み、法枠ブロック裏面の直近領域の土砂にまで確実に転圧を付与できるとともに、植生も容易に行うことができる法枠ブロックを提供することを目的とする。
【０００７】
【課題を解決するための手段】
かかる目的を達成するために請求項１に示す発明は、多段に盛られる盛土層間に水平方向に延びる網目状の補強材を埋設して盛土の安定化を図る盛土補強土工法に用いられ、各盛土層の端面に多数設けられて盛土の法面を覆うとともに前記補強材の端部を係止する法枠ブロックであって、矩形状の底面壁と、該底面壁の前端部に一体に立設された前面壁と、該底面壁の上面から該前面壁と同一高さまで立ち上げられて一体形成され、前端部が前記前面壁に連なって後方に延びる控え壁とを備え、前記控え壁の上面には上層に設置される法枠ブロックに係合させるアンカーピンが設けられる一方、前記底面壁の下面には前記アンカーピンよりも前方に位置して、その下層に設置される法枠ブロックの前記アンカーピンを係合させる係合穴が設けられ、かつ前記前面壁は、前記底面壁に対して垂直あるいは前方に傾斜して一体形成され、前記底面壁の一方の側端部には、側方に突出する連結用底面壁部が一体形成され、他方の側端部には、その側方に隣接配置される法枠ブロックから突出する前記連結用底面壁部を挿入係合させる係合凹部が形成され、前記控え壁は、前記係合凹部が形成される側の底面壁の側端部に該係合凹部を跨いで設けられ、前記連結用底面壁部の先端上面にはその側方に隣接配置される法枠ブロックの前記控え壁の内側面に係合する突出片が一体形成されていることを特徴とする。
【０００８】
上記発明によれば、法枠ブロックの自重を支持する底面壁を設けたので、法枠ブロックの重心を低くすることができるとともに、底面壁によって傾倒モーメントに確実に対抗することができてその自立安定性に富む。
また、前面壁は、底面壁に対して垂直あるいは前方に傾斜して形成されているので、法枠ブロック上に盛り立てられた土砂にタイヤローラーを乗せて容易にかつ確実に上方から転圧をかけることができる。従って、法枠ブロック裏面の直近後方の領域にも確実に転圧を作用させることができ、施工後の地盤の緩みを確実に防止できる。
さらに、前記アンカーピンによって上下の法枠ブロック同士を係合固定するため、この係合固定を上下方向に繰り返して、上下方向に亘る全ての法枠ブロックを連結一体化し強固にすることができる。
さらに、控え壁のアンカーピンの位置、若しくは底面壁の係合穴の位置を調整すれば、上下の法枠ブロックの前後方向の相対位置を調整できるので、任意の法面勾配に合わせて階段状に法枠ブロックを設置することができ、その前後にずれた平面部には容易に植林できる。
さらに、側方に隣接する法枠ブロックの、一方の係合凹部に他方の連結用底面壁部を挿入係合し、これを繰り返すことで、側方に列をなす複数の法枠ブロックを連結一体化することができる。そして、これと、前述した上下方向の法枠ブロックの一体化とが組み合わされて、法面全面の法枠ブロックが一体化されて非常に強固になる。また、側方に列をなすように法枠ブロックを連結配置する際に、既に配置した法枠ブロックの連結用底面壁部に、これから配置する法枠ブロックの係合凹部が嵌り込むように、連結用底面壁部の直上に係合凹部を位置させて上方より下ろすことで、容易に係合させて連結することができる。
さらに、相隣接する法枠ブロックの一方の突出片と他方の控え壁とを係止するので、互いの側方方向の相対移動を完全に拘束して強固に連結することができる。
【０００９】
請求項２に示す法枠ブロックは、請求項１に記載の法枠ブロックであって、前記底面壁には、該底面壁を上下方向に貫通する空孔が設けられていることを特徴とする。
【００１０】
上記発明によれば、法枠ブロックを軽量化することができる。また、底面壁上の土砂に植林することで前記空孔を介して、直下に位置する法枠ブロックの底面壁上の土砂にまで根張りをして、上下の法枠ブロックの連結をより強固にできる。
【００１４】
【発明の実施の形態】
以下、本発明に係る実施形態を添付図面を参照して詳細に説明する。図１は本発明に係る法枠ブロックの第一実施形態を示す斜視図であり、図２は、その３面図と同図におけるｃ−ｃ線およびｅ−ｅ線矢視の縦断面図である。
【００１５】
本発明に係る法枠ブロック１は、あらかじめ型枠などで形成された、幅１ｍ、高さ０．３ｍ、奥行０．６ｍ程度の大きさのプレキャストコンクリート製のブロック部材である。図１に示すように、この法枠ブロック１は、矩形状底面壁３と、この底面壁３の前端部に一体的に立設された前面壁５と、該底面壁３の上面から該前面壁５と同一高さまで立ち上げられて一体形成され、前端部が該前面壁５に連なって後方に延びる控え壁７とを備える。
【００１６】
前記前面壁５は底面壁３に対して前方に傾斜して一体形成されおり、この傾斜角度は適宜、法面勾配などを考慮して設定される。この前面壁の後面には、ジオテキスタイルを係止固定する係止具たる鋼製のフック８が幅方向適宜間隔に設けられている。
【００１７】
前記底面壁３の中央には、これを上下に貫通する矩形状の空孔１７が１つ形成される。また、前記底面壁３の一方の側端部には、側方に突出する直方体状の連結用底面壁部１３が一体形成され、他方の側端部には、その側方に隣接配置される法枠ブロック１から突出する前述と同形の連結用底面壁部１３を挿入係合させる平面矩形状の係合凹部１５が形成されている。前記控え壁７は前記係合凹部１５が形成される側の底面壁３の側端部に前記係合凹部１５を跨いで設けられ、連結用底面壁部３の先端上面にはその側方に隣接配置される法枠ブロック１の控え壁７の内側面に係合する直方体状の突出片１３ａが一体形成されている。
【００１８】
この控え壁７の上面には、爾後にその上層に設置される法枠ブロック１を係合させるアンカーピン９が設けられる。そして、このアンカーピン９よりも前方に位置する前記連結用底面壁部１３の下面には、既にその下層に設置されている法枠ブロック１の前記アンカーピン９に係合させるための係合穴１１が設けられる。
【００１９】
このような法枠ブロック１は、工場などで成形されてトラックなどにより現場搬入される。そして、これを用いて、以下のような手順で盛土３１の造成がおこなわれる。
【００２０】
図３に法枠ブロックを盛土に配置した状態を示す側面図を、図４にそのIV−IV線矢視の平断面図を示す。尚、図３にあってはジオテキスタイルおよびこれを法枠ブロックに係止するフックを実線で示し、図４では土砂およびジオテキスタイルを透視して示す。
【００２１】
図３に示すように、基礎地盤Ｇ上に、第１層目の盛土層３１ａの法面が予定されている位置に前記前面壁５が位置するとともに、その後方にこれから形成する盛土層３１ａが位置するように、複数の法枠ブロック１ａ，１ａ’，１ａ’’，…を側方方向（図中、紙面を貫通する方向）に一列に配列する。この配置に際しては、図４に示すように、既に配置された法枠ブロック１ａの連結用底面壁部１３に、これから配置する法枠ブロック１ａ’の係合凹部１５’が係合するように、この係合凹部１５’が前記連結用底面壁部１３の直上に位置した状態で上方から基礎地盤Ｇに下ろして、両法枠ブロック１ａ，１ａ’を連結配置する。これを繰り返して、側方方向に列をなすように法枠ブロックを配列する。
【００２２】
次いで、図３および図４に示すように、この基礎地盤Ｇの上面、および各法枠ブロック１ａ，１ａ’，１ａ’’，…の底面壁３，３’，３’’，…上面に沿わせて、ジオテキスタイル２１を敷設するとともに、このジオテキスタイル２１の端部２１ａを各前面壁後面５ａ，５ａ’，５ａ’’，…のフック８，８’，８’’，…に係止固定する。
【００２３】
そして、これらの法枠ブロック１ａ，１ａ’，１ａ’’，…の列の後方、すなわちジオテキスタイル２１の上面に土砂を盛り立てて敷き均し、タイヤローラなどによって転圧を行い第１層目の盛土層３１ａが造成される。この転圧作業の際、法枠ブロック１ａの前面壁５が前方に傾斜しているため、法枠ブロック１ａ上の土砂３３ａに対しても上方から確実に転圧を行い締め固めることができる。したがい、施工後に地盤が緩むことを確実に防止できる。また、前述した法枠ブロック１上の土砂３３ａに対する確実な転圧付与によって、万一フック８が腐食などにより破損しても、ジオテキスタイル２１は法枠ブロック１と土砂３３ａとに狭圧固定され、ジオテキスタイル２１の張力が緩むことを防止できる。尚、万全を期す場合は、このフック８の素材として、耐食性に優れるステンレスを使用すれば良い。
【００２４】
次に、第２層目用の法枠ブロック１ｂを前記第一層目の法枠ブロック１ａ上に載置する。その際の、上下の法枠ブロック１ａ，１ｂ間、すなわち第１層目と第２層目用の法枠ブロック１ａ，１ｂ間の位置決めは、図４に示すように第１層目の法枠ブロック１ａに隣接する法枠ブロック１ａ’の控え壁７上面に設けられたアンカーピン９’を、第２層目用の法枠ブロック１ｂの連結用底面壁部１３の下面に形成された図示なしの係合穴１１に挿入することでおこなわれる。この係合穴１１は、アンカーピン９’よりも前方に位置して形成されており、図３に示すように第１層目の法枠ブロック１ａの直上よりも後方に第２層目用の法枠ブロック１ｂが位置するようになる。そして、多数の法枠ブロックが上下方向に配置された後には、その多数の前面壁５によって階段状に傾斜面が形成されるようになっている。この傾斜面の勾配は、前記アンカーピン９，９’、若しくは前記係合穴１１の位置調整によって調節できるので、容易に任意の法面勾配に対応することができる。また、本第一実施形態にあっては、図３および図４に示すように側方に突出する連結用底面壁部１３に係合穴１１が形成されているため、第２層目用の法枠ブロック１ｂは、その直下に位置する法枠ブロック１ａと係合固定されるのではなく、これに隣接する法枠ブロック１ａ’と連結されるようになっている。
【００２５】
そして、この後は前述と同様に、第２層目の法枠ブロック１ｂの配列、ジオテキスタイル２１ａの敷設、土砂の盛り立ておよび敷き均し、転圧を順次行って第２層目の盛土層３１ｂが造成される。
以上の手順を繰り返して所期の高さの盛土が完成したら、前面壁５の直近後方の階段状部分の土砂に植物１９を植えて盛土の造成が完了する。
【００２６】
図５に、本発明の第二実施形態における法枠ブロックの斜視図とその３面図を示す。尚、本第二実施形態の基本的な構成は前記第一実施形態と同じである。したがい、同図中、第一実施形態と同一の部材には同一の符号を付すとともに、以下ではその相違のみを説明しその詳細な説明は省略する。
【００２７】
第一実施形態と比較して第二実施形態の法枠ブロック４１は以下の点で相違する。図５に示すように、その法枠ブロック４１は、底面壁３の横幅が長く形成されている。そして、その底面壁３に２つの略矩形状の空孔１７ａが形成され軽量化されている。これに加えて、前面壁５の前面には、一対の矩形状の薄肉な凹部５ａが形成され更なる軽量化が図られている。また、この前面壁５には一対の水抜き用の孔５ｂが形成され水捌けを良くしている。
【００２８】
連結用底面壁部１３の先端１３ｃは半円柱状に形成されるとともに、その上面の突出片１３ｂは、上方に従い小径となる裁頭円柱状に形成されている。また、係合凹部１５ｂの最深部１５ｃは、隣接する法枠ブロック４１の前記先端１３ｃに嵌合するように平面半円形状に形成される。また、前記係合凹部１５ｂの幅は、底面壁３の側端部に向かうにしたがい広くなっている、つまり、係合凹部１５ｂと連結用底面壁部１３とが係合した時に、両者の間に生じる隙間は、前記側端部に向かうにしたがい大きくなるようになっている。
【００２９】
前記突出片１３ｂが裁頭円錐状になっているのは、法枠ブロック４１同士の連結を容易にするためである。すなわち、連結用底面壁部１３に係合凹部１５ｂを係合する際に、裁頭円錐状の突出片１３ｂにて係合凹部１５ｂを誘導して円滑に係合をおこなうことができる。
また、前記係合凹部１５ｂの幅が前記側端部に向かうにしたがい広くなっているのは、相隣接する法枠ブロック４１を、その互いの前面壁５が、くの字状に角度をつけて連結できるようにするためである。これによって、計画されている法面が側方方向に曲がっている場合でも、この曲がりに沿って法枠ブロック４１を配置することができる。
【００３０】
以上、本発明の実施形態について説明したが、本発明は、かかる実施形態に限定されるものではなく、その要旨を逸脱しない範囲で以下の（ａ）〜（ｃ）に示すような変形が可能である。
【００３１】
（ａ）本実施形態においては、控え壁上面のアンカーピンと係合する係合穴を連結用底面壁部の下面に形成し、上下の法枠ブロックの側端が面一となるように積み上げることで、正面視の法枠ブロックの配列を格子状にしたが、この配列は格子状に限るものではない。例えば、前記係合穴を底面壁の幅方向中央に形成し、上下の法枠ブロックの互いの位置を半ブロック分、側方方向にずらして積み上げることで、煉瓦積みのように千鳥状に配列しても良い。
【００３２】
（ｂ）本実施形態においては、軽量化、材料コスト削減を指向し控え壁を１つにしたがこれに限るものではなく、底面壁の両側端部に設けて２つにしても良いし、中央部に追加して設けて２つにしても良い。
【００３３】
（ｃ）本実施形態においては、アンカーピンおよびこれと係合する係合穴を各々１つずつ、また、連結用底面壁部およびこれと係合する係合凹部を各々１つずつ設けたが、これに限るものではなく複数設けても良い。尚、複数設けた場合には、法枠ブロック同士の連結が更に強固になる。
【００３４】
【発明の効果】
以上、説明したように、請求項１に示す発明によれば、法枠ブロックは自立安定性に富むため、法枠ブロックを配置する際の作業能率が向上する。
また、法枠ブロックの後方直近の領域にまで確実に転圧を作用させられるので、施工後の地盤の緩みに起因した地盤低下等を確実に防止できる等、施工後の盛土及び法面の安定性を向上できる。
さらに、前記アンカーピンによって上下の法枠ブロック同士を係合固定するため、この係合固定を上下方向に繰り返して、上下方向に亘る全ての法枠ブロックを連結一体化し強固にすることができる。従って、施工後の盛土及び法面の安定性が向上する。
さらに、控え壁のアンカーピンの位置、若しくは底面壁の係合穴の位置調整によって、任意の法面勾配に対して階段状になって対応することができ、法面勾配に応じて法枠ブロックを用意する必要なくコスト削減が図れる。
さらに、前記階段状に前後にずれた平面部には容易に植林できるので景観に優れたものにすることができる。
さらに、側方に列をなす全法枠ブロックを連結一体化でき、これと、前述した上下方向の法枠ブロックの一体化とが組み合わされて、法面全面の法枠ブロックが一体化されて非常に強固になる。従って、施工後の盛土及び法面の安定性が向上する。さらに、側方に相隣接する法枠ブロック同士を容易に係合連結できるので、作業能率が向上する。
さらに、相隣接する法枠ブロック同士の側方方向の相対移動を完全に拘束して強固に連結できるので、施工後の盛土及び法面の安定性が向上する。
【００３５】
【００３５】
請求項２に示す発明によれば、法枠ブロックを軽量化することができて、搬送・設置等の作業能率が向上する。
さらに、底面壁上の土砂に植林することで、前記空孔を介して広範囲に亘って根張りをするので、上下の法枠ブロックの連結をより強固にできて、施工後の盛土及び法面の安定性が向上する。
【図面の簡単な説明】
【図１】本発明に係る法枠ブロックの第一実施形態の斜視図である。
【図２】本発明に係る法枠ブロックの第一実施形態の３面図と、図１におけるｃ−ｃ線およびｅ−ｅ線矢視の縦断面図である。
【図３】本発明に係る法枠ブロックを盛土に配置した状態を示す側面図である。
【図４】図３におけるIV−IV線矢視の平断面図を示す。
【図５】本発明に係る法枠ブロックの第二実施形態の斜視図とその３面図である。
【図６】従来の法枠ブロックの斜視図である。
【符号の説明】
１、１ａ、１ａ’、１ａ’’、１ｂ  法枠ブロック
３、３’、３’’  底面壁
５、５’、５’’  前面壁
７、７’、７’’  控え壁
９、９’、９’’  アンカーピン
１１  係合穴
１３、１３’  連結用底面壁部
１３ａ  突出片
１５、１５’、１５’  係合凹部
１７  空孔
【図１】
0003724306.tif 000002
【図２】
0003724306.tif 000003
【図３】
0003724306.tif 000004
【図４】
0003724306.tif 000005
【図５】
0003724306.tif 000006
【図６】
0003724306.tif 000007